(57)【特許請求の範囲】
【請求項１】
長手方向の中央部に肉薄の折り曲げ部４が形成された変形可能な支柱挟み部１と、この支柱挟み部１の両側に、第１の連設部１４Ａ及び第２の連設部１４Ｂを介してそれぞれ連設された半円状の第１及び第２の茎挟み固定部７Ａ，７Ｂと、前記第１及び第２の連設部１４Ａ，１４Ｂに、前記第１及び第２の茎挟み固定部７Ａ，７Ｂが突出している方向とは反対方向にそれぞれ突出して設けられ、前記支柱挟み部１が前記折り曲げ部４から略円形に曲げられたときに互いに厚み方向に重なり合って支柱２０を挟み付ける第１及び第２のロック位置合わせ爪３Ａ，３Ｂと、前記第１及び第２の茎挟み固定部７Ａ，７Ｂの先端に連設されて互いに折り曲げられたときに折り曲げ状態をロックするロック爪１３とロック爪掛かり穴１１からなるロック部と、前記支柱挟み部１と前記第１及び第２の連設部１４Ａ，１４Ｂとの境界部にそれぞれ形成され、前記支柱挟み部１が前記折り曲げ部４から折り曲げられるときに、前記第２のロック位置合わせ爪３Ｂ及び前記第１のロック位置合わせ爪３Ａが当たってそれぞれの所定位置への移動方向を規制する第１及び第２の案内部分１２Ａ，１２Ｂとを備えた植物茎等の保持クリップ。
【請求項２】
長手方向の中央部に肉薄の折り曲げ部４が形成された変形可能な支柱挟み部１と、この支柱挟み部１の両側に、第１の連設部１４Ａ及び第２の連設部１４Ｂを介してそれぞれ連設された半円状の第１及び第２の茎挟み固定部７Ａ，７Ｂと、前記第１及び第２の連設部１４Ａ，１４Ｂに、前記第１及び第２の茎挟み固定部７Ａ，７Ｂが突出している方向とは反対方向にそれぞれ突出して設けられたロック位置合わせ爪３Ａ及びロック爪３Ｃと、前記支柱挟み部１が前記折り曲げ部４から略円形に曲げられたときに互いに係合して折り曲げ状態をロックする前記ロック爪３Ｃと前記第１の連設部１４Ａに設けられた係合部１７とからなるロック部と、前記支柱挟み部１と前記第１及び第２の連設部１４Ａ，１４Ｂとの境界部にそれぞれ形成され、前記支柱挟み部１が前記折り曲げ部４から折り曲げられるときに、前記ロック爪３Ｃの背部及びロック位置合わせ爪３Ａが当たってそれぞれの所定位置への移動方向を規制する第１及び第２の案内部分１２Ａ，１２Ｂとを備えた植物茎等の保持クリップ。
【発明の詳細な説明】
【０００１】
【発明の属する技術分野】
本発明は、トマトやナス、キュウリ、メロン、ピーマンなどの植物茎や、梨、ぶどう、いちじく等の枝を支柱に止めて誘引する植物茎等の保持クリップに関する。
【０００２】
【従来の技術】
農園芸において、施設園芸農家（パイプビニールハウス、ガラスハウス施設による栽培農家）や露地栽培農家では、トマト、ナス、メロン、ピーマン等の栽培時、図１１に示すように、茎が成長するにつれてその重みで茎が地面を這うようになり、そのままでは茎や葉等に虫が付いて病気が発生するので、それを防ぐために、幹または茎等を支柱に固定して、地面に垂れ下がらないようにする必要がある。
【０００３】
果樹などは枝を上に伸ばしっ放しにすると栄養分が枝の成長に使われ、実の部分に行かないので、枝を紐などで引っ張って上に伸びないようにし、実に栄養が行くようにしている。
【０００４】
また、８月〜１０月間は、ビニールハウス栽培の場合、ハウス内の暑さによる青枯れ病の発生や、台風等の強い風によるビニールハウスの破損を防ぐために、ビニールの被覆を取り除くので、茎が強風により折れたりしないように支柱に固定する必要がある。露地栽培も同様である。
【０００５】
従来は、施設園芸農家（ビニルハウス、ガラスハウス等）においては、図１２に示すように、地面に所定間隔で立てた支柱３１に横張りのビニール紐３２を巻き付けて茎を支持し、成長に応じて一段目、二段目のビニール紐３２で茎を支柱３１に支持していた。支柱３１の上部は、支柱がぐらつかないように、同じくビニール紐３２でつないでいる。支柱の種類としては、図１３（ａ）に示すイボタケといわれる鉄パイプにプラスチックを被覆したもの（ｂ）に示すフシタケといわれる同じく鉄パイプにプラスチックを被覆したものが多い。
【０００６】
茎の他の支持方法の例としては、図１４に示すように支柱３１に各茎単位で紐３３やビニールテープ３４を用いてステープラーで茎を止めていた。しかし、茎の重量が掛かり、ステープラーの針でビニールテープが破れることがあり、好ましくない。
【０００７】
更に、路地栽培では、図１５（ａ）に示すように、地面に斜めに刺した支柱３１に紐３３を用いて茎を止める方法もある。
【０００８】
このような手作業によって茎を支柱に止める方法では、茎の下部の方は屈んだままの姿勢で作業を行わなければならないため、重労働な上、作業効率が悪い。そこで、器具を用いて支柱に茎を止める固定具が各種提案されている。
【０００９】
特開平７−９９８４１号公報、実開昭５６−１４５９４８号公報、実開平２−１２０１４６号公報に記載された支柱用固定具は、複数の部品を組み立てて１つの商品を完成させていたので、部品コスト、組立コストが高い。また、これらの従来品は、誘引中、茎が太く育ち、クリップを取り外すときに茎挟み部の開口部が全開にならないために、無理に取り外すと茎を傷付けることがあった。また、ときには茎からクリップを外すときに茎を折ったり枝を折ることもあった。
【００１０】
特開平５−３７２８号公報に開示された一体成形の固定具では、操作杆が突出しているので、茎や葉が引っかかったり作物の実が操作杆の突起に当たり傷を入れることがある。
【００１１】
一体成形の固定具として実開昭６３−１９３４３８号公報に記載された固定具があるが、茎を入れた状態で支柱に押し込むために茎を押し付け、傷付けることがあり、現実的にはほとんどの生産農家では使われていない。また、弾性で支柱に固定しているために、茎や実の重量に耐えられない。
【００１２】
実開昭６３−１９３４３９号公報は、茎を保持する部分と支柱を止める部分が別々にあり、支柱を挟む作業と茎を挟む作業との別工程になり、作業性が悪く、また茎を茎保持部に入れるときに傷を付けるし、弾性のみで茎や支柱を保持するために、茎や実の重量に耐えられない。
【００１３】
特開平７−９９８４１号公報、実開昭５６−１４５９４８号公報、実開平２−１２０１４６号公報に記載された器具は、ピンチ式のバネの力により支柱を挟み、また実開昭６３−１９３４３８号公報や実開昭６３−１９３４３９号公報に記載された器具は、弾性により支柱を挟んでいるため、支柱誘引中に茎の重さや実の重さでクリップが下にずり下がったりする事がある。
【００１４】
これらの器具では、支柱に茎を固定していても、強い風が茎や葉に当たり、誘引している固定具と茎が一緒に回転したり、強く揺すられると茎を折ってしまうことがある。特に台風時の強い風が吹くときは、支柱に茎が確実に固定されていない場合、被害が多く発生する。
【００１５】
横張の紐を図１６に示すようなバネ線３５で止めることがあるが、支柱にバネの弾力で取り付けているため、素手では外しにくく、支柱に数個取り付けていなければならない。また、図１２のように横張紐を支柱と茎に巻き付けて誘引している場合は、上下の移動をすることができない。
【００１６】
このように、現状では、多種の支柱止め具はあるが、現実的には使いづらい物ばかりで、全くといってよいほど生産農家では使われていない。ほとんどの農園芸家では、図１２、図１４、図１５に示すように従前の通り、紐やテープ等を使い、茎を支柱に結んだり、茎と支柱を紐で巻き付けて止めている。
【００１７】
【発明が解決しようとする課題】
従来の支柱止め具が生産農家で使われていない大きな理由は、
（１）支柱止め具の価格が高く、農家の資材費の負担が大きくなる。
（２）誘引作業時、嵩張るために作業性が悪い。
（３）ピンチ式固定具は、針金バネの挟む力を使い、支柱と茎を止めているので、強風時に支柱固定具が回転したりすることがあり、茎を確実に固定できない。
（４）比較的価格の安い支柱固定具は、茎を無理に固定具の隙間に押し込んだり、支柱に押し込んだりする必要があるために、作業性が悪く、茎を傷付ける事がある。また、大量に茎と支柱を止める必要があるため、現実的に使用できない。
【００１８】
トマトは、１０アール（３００坪）当たり、約２０００茎を栽培するために、作業性がよい支柱止め固定具であっても、価格が高ければ１茎に２個固定具を使用しても４０００個必要となり、生産農家の資材費の大きな負担となる。
【００１９】
そこで本発明が解決しようとする課題は、価格が安く、また茎の成長と共に何度も固定具の取り付け、取り外し誘引作業を繰り返し行うためにワンタッチで使用可能な、作業性がよく、しかも強風時にも確実に支柱と茎を固定する植物茎等の保持クリップを提供することである。
【００２０】
【課題を解決するための手段】
前記課題を解決するため、本発明の植物茎等の保持クリップは、長手方向の中央部に肉薄の折り曲げ部が形成された変形可能な支柱挟み部と、この支柱挟み部の両側に、第１の連設部及び第２の連設部を介してそれぞれ連設された半円状の第１及び第２の茎挟み固定部と、前記第１及び第２の連設部に、前記第１及び第２の茎挟み固定部が突出している方向とは反対方向にそれぞれ突出して設けられ、前記支柱挟み部が前記折り曲げ部から略円形に曲げられたときに互いに厚み方向に重なり合って支柱を挟み付ける第１及び第２のロック位置合わせ爪と、前記第１及び第２の茎挟み固定部の先端に連設されて互いに折り曲げられたときに折り曲げ状態をロックするロック爪とロック爪掛かり穴からなるロック部と、前記支柱挟み部と前記第１及び第２の連設部との境界部にそれぞれ形成され、前記支柱挟み部が前記折り曲げ部から折り曲げられるときに、前記第２のロック位置合わせ爪及び前記第１のロック位置合わせ爪が当たってそれぞれの所定位置への移動方向を規制する第１及び第２の案内部分とを備えたものである。
【００２１】
また、本発明の別の解決手段は、長手方向の中央部に肉薄の折り曲げ部が形成された変形可能な支柱挟み部と、この支柱挟み部の両側に、第１の連設部及び第２の連設部を介してそれぞれ連設された半円状の第１及び第２の茎挟み固定部と、前記第１及び第２の連設部に、前記第１及び第２の茎挟み固定部が突出している方向とは反対方向にそれぞれ突出して設けられたロック位置合わせ爪及びロック爪と、前記支柱挟み部が前記折り曲げ部から略円形に曲げられたときに互いに係合して折り曲げ状態をロックする前記ロック爪と前記第１の連設部に設けられた係合部とからなるロック部と、前記支柱挟み部と前記第１及び第２の連設部との境界部にそれぞれ形成され、前記支柱挟み部が前記折り曲げ部から折り曲げられるときに、前記ロック爪の背部及びロック位置合わせ爪が当たってそれぞれの所定位置への移動方向を規制する第１及び第２の案内部分とを備えたものである。
【００２２】
【発明の実施の形態】
以下、本発明の実施の形態を、図面に示す実施例に基づいて具体的に説明する。
図１は本発明の第１実施例を示す平面図、図２（ａ）はその正面図、（ｂ）はその背面図、（ｃ）は（ａ）のＡ−Ａ線における断面図である。
【００２３】
これらの図において、１は支柱挟み部、２Ａ及び２Ｂは回転防止ストッパー兼ロック位置合わせ部、３Ａ及び３Ｂはロック位置合わせ爪、４は中央部から曲がるように肉薄とした折り曲げ部、５は回転防止補助リブ（なくても良い）、６Ａ及び６Ｂは茎挟み時の茎傷付け防止スロープ、７Ａ及び７Ｂは茎挟み固定部、８はロック案内板、９はロック解除時に押す押さえ部、１０はロック爪部掛かり部、１１はロック爪掛かり穴、１２Ａ及び１２Ｂはロック位置合わせ爪３Ａ及び３Ｂが当たる案内部分、１３はロック爪、１４Ａ及び１４Ｂは連設部、１５Ａ及び１５Ｂは滑り止めローレットが設けられた指押さえである。
【００２４】
本実施例では、図３に示すように支柱挟み部１の中央部が肉薄となっていて、中央部の折り曲げ部４を支点として曲がるようになっている。図３よりも開いた状態で支柱挟み部１の中に支柱２０が入るように装着し、また、茎挟み固定部７Ａ及び７Ｂの中に茎２１が入るようにして、茎挟み固定部７Ａ及び７Ｂを指押さえ１５Ａ及び１５Ｂを挟み付けながら曲げていく。図４はロックをする直前の状態を示すもので、茎傷付け防止スロープ６Ａ及び６Ｂは、支柱２０と茎２１を片手で持って止めるときに、茎を傷付けないようにスロープで逃がすようにするために形成している。また、乱暴な作業であっても、ロック部（ロック爪１３とロック爪掛かり穴１１）が確実に止まるように、ロック位置合わせ爪３Ａが案内部分１２Ｂに当たり、ロック位置合わせ爪３Ｂが案内部分１２Ａの内部に当たって入り、位置決めができるようにしている。指押さえ１５Ａ及び１５Ｂを更に挟み込むと、ロック爪１３とロック案内板８がロック爪掛かり穴１１に入り、ロック爪１３のロック爪掛かり部１０がロック爪掛かり穴１１に入り込むと、ロック爪１３が抜けなくなり、クリップはロックされる。
【００２５】
図５は本実施例のクリップを、支柱を挟まないでロックした状態を示すもので、この状態では支柱挟み部１は円形状には曲がらずに異形をしているが、円形状の支柱を挟み込んでロックしたときに支柱挟み部１が円形状に矯正される力と、支柱挟み部１全体で支柱を物理的に強く絞め付ける。
【００２６】
図６は支柱２０を実際に挟んだ状態を示すものであり、支柱２０に挟んだときにロック位置合わせ部２Ａ、２Ｂの中に図１３（ａ）のイボタケ支柱２０の凸部が入り込み、強風であっても確実に固定する。また、支柱２０を挟んでロックするときに、ロックがずれないように修正する役目も兼ねている。
【００２７】
図７は本発明の実施例の使用状態を示すものであり、（ｃ），（ｄ）の（イ）、（ロ）、（ハ）に示すように、茎の成長に応じて本クリップを用いて、ワンタッチで支柱に茎を止めることができる。なお、図７（ａ）、（ｂ）、（ｅ）は従来の止め方を示している。
【００２８】
このようにして本発明のクリップを用いて茎２１を支柱２０に支持することで、図８に示すように、小茎の重量が下方向に掛かったときでも、支柱挟み部１の折り曲げ部４の部分が内側に引っ張られ、下方向にもずれにくい。
【００２９】
図６の状態からロックを外すには、ロック爪１３の押さえ部９を押すと、ロック爪１３の根元の部分が曲がってロック爪掛かり１０とロック爪掛かり穴１１の係合が外れ、支柱挟み部１の復元力でクリップが開き、容易に取り外したり緩めたりすることができる。
【００３０】
支柱のぐらつきを止めるために支柱間をつなぐ横張り紐は、図４に示すように連設部１４Ａに３２のように巻き付けるか、支柱挟み部１の折り曲げ部４付近に３２’のように巻き付けるか巻き付けずに支柱と一緒に挟むようにする。
【００３１】
本実施例のクリップを用いた露地栽培の例を図１５（ｂ）に示す。図１５（ａ）の従来例では、支柱３１に紐３３で茎を止めており、トマト等の実は茎の下部から大きくなり、下部から収穫していくが、茎が支柱３１の上方にまで延びてそこに実がなっても、背丈以上に高くなるため従来は茎を切断していた。本来は、紐３３を解いて茎を下の方にたぐり寄せて紐３３を結び直せばよいが、その作業が面倒であるため、実際はそのような作業はほとんどされていない。これに対して、本発明のクリップを用いれば、図１５（ｂ）に示すように、クリップのロックを外して茎を下の方にたぐり寄せて再び支柱にクリップを止めるという簡単な作業が可能となり、茎の上部の実を収穫でき、１本の茎当たりの収量が多くなる。したがって、茎数を減らしても、収穫量を増やすことができる。
【００３２】
図９及び図１０は本発明の第２実施例を示すものであり、第１実施例が茎挟み固定部７Ａ，７Ｂの先端にロック爪１３、ロック爪掛かり穴１１を設けたのに対し、第２実施例では、支柱挟み部１と茎挟み固定部７Ａ，７Ｂの連設部１４Ａ及び１４Ｂにロック爪掛かり穴１６と係合部１７及びロック爪３Ｃを設けたものである。図９（ａ）は平面図、（ｂ）は背面図、（ｃ）は正面図、（ｄ）は（ｃ）のＢ−Ｂ線における断面図である。
【００３３】
この実施例では、図１０（ａ）に示すように支柱挟み部１を折り曲げ部４の部分から図１０（ｂ）〜（ｃ）のように折り曲げていくと、ロック爪３Ｃがロック爪掛かり穴１６の内部に入り込み、ロック爪３Ｃのフックの部分が係合部１７に引っ掛かり、ロック爪３Ｃがロックされて支柱挟み部１で支柱が、茎挟み固定部７Ａと７Ｂの部分で茎が挟まれ、茎を支柱に支持することができる。支柱間をつなぐ横張り紐を、連設部１４Ａか折り曲げ部４付近に巻き付けることができるのは第１実施例と同様である。
【００３４】
【発明の効果】
上述したように、本発明によれば下記の効果を奏する。
【００３５】
（１）本発明のクリップは、一体成形で製造できるため、別部品と組立が一切不要であり、大幅なコストダウンができる。
【００３６】
（２）本発明のクリップは、茎挟み固定部が全開になるためにクリップを茎から取り外すときに茎を傷付けることがない。
【００３７】
（３）洗濯挟み式の特開平５−３７２８号公報記載のもののように操作杆が突出していないので、茎や葉が引っかかったり作物の実を傷付けることがない。
【００３８】
（４）取り付け、取り外しがワンタッチで繰り返し誘引作業が簡単にできる。このため、特に露地栽培において、茎の下部の実を収穫した時点でクリップのロックを外して茎を下の方にたぐり寄せて再び支柱にクリップを止めるという簡単な作業が可能となり、茎の上部の実を収穫でき、１本の茎当たりの収量が多くなる。したがって、茎数を減らしても、収穫量を増やすことができる。
【００３９】
（５）本発明品は、支柱が円形状の断面に対し、支柱挟み部１を折り曲げると異形になり、支柱に当ててロックすると支柱挟み部は円形状に成形されながら、支柱挟み部全体で機械的に絞め込みながらロックされるために、支柱誘引中に茎の重さや実の重さでクリップが下にずり下がったりする事がない。
【００４０】
（６）支柱誘引しているクリップが強風によって回転しないように回転防止ストッパー２Ａ、２Ｂを設け、回転防止リブ５も設けることにより、強い風が茎や葉に当たり、誘引している固定具と茎が一緒に回転したり、強く揺すられると茎を折ってしまうことがない。
【００４１】
（７）支柱誘引用固定具以外の横張り紐止め具としても使える。
【図面の簡単な説明】
【図１】  本発明の第１実施例を示す平面図である。
【図２】  （ａ）は第１実施例の正面図、（ｂ）はその背面図、（ｃ）は（ａ）のＡ−Ａ線における断面図である。
【図３】  本発明の第１実施例においてクリップを曲げている状態を示す平面図である。
【図４】  横張紐を巻いた状態の平面図である。
【図５】  支柱を挟まないでクリップを閉じた状態を示す平面図である。
【図６】  本発明のクリップで茎を支柱に止めている状態を示す横断平面図である。
【図７】  本発明のクリップを用いて茎を支柱に固定している状態の説明図である。
【図８】  本発明のクリップで茎を支柱に止めている状態を示す斜視図である。
【図９】  本発明の第２実施例を示すものであり、（ａ）は平面図、（ｂ）は背面図、（ｃ）は正面図、（ｄ）は（ｃ）のＢ−Ｂ線における断面図である。
【図１０】  第２実施例において、折り曲げ状態及びロック状態を示す平面図である。
【図１１】  茎が成長するにつれてその重みで茎が地面を這うようになる状態を示す説明図である。
【図１２】  従来の茎の固定方法の一例を示す説明図である。
【図１３】  支柱の例を示す斜視図である。
【図１４】  従来の茎の固定方法の他の例を示す説明図である。
【図１５】  （ａ）は従来の茎の固定方法のさらに他の例を示す説明図、（ｂ）は本発明のクリップを用いて茎を固定する方法の説明図である。
【図１６】  従来のバネ線で横張紐を止める方法の説明図である。
【符号の説明】
１  支柱挟み部、２Ａ，２Ｂ  回転防止ストッパー兼ロック位置合わせ部、３Ａ，３Ｂ  ロック位置合わせ爪、３Ｃ  ロック爪、４  折り曲げ部、５  回転防止補助リブ、６Ａ，６Ｂ  茎傷付け防止スロープ、７Ａ，７Ｂ  茎挟み固定部、８ロック案内板、９  押さえ部、１０  ロック爪部掛かり部、１１  ロック爪掛かり穴、１２Ａ，１２Ｂ  案内部分、１３  ロック爪、１４Ａ，１４Ｂ  連設部、１５Ａ，１５Ｂ  指押さえ、１６  ロック爪掛かり穴、１７  係合部、２０  支柱、２１  茎、３１  支柱、３２  ビニール紐、３３  紐、３４  ビニールテープ、３５  バネ線
【図１】
0004471417.tif 000002
【図２】
0004471417.tif 000003
【図３】
0004471417.tif 000004
【図４】
0004471417.tif 000005
【図５】
0004471417.tif 000006
【図６】
0004471417.tif 000007
【図７】
0004471417.tif 000008
【図８】
0004471417.tif 000009
【図９】
0004471417.tif 000010
【図１０】
0004471417.tif 000011
【図１１】
0004471417.tif 000012
【図１２】
0004471417.tif 000013
【図１３】
0004471417.tif 000014
【図１４】
0004471417.tif 000015
【図１５】
0004471417.tif 000016
【図１６】
0004471417.tif 000017